(57)【要約】      （修正有）【課題】パッケージの蓋を封印するテープを素早くかつスムーズに剥がすことができる装置を提供する。【解決手段】テープ１であって、細長い帯状の基材１０を備え、基材１０の第一面１０１及び第二面１０２はそれぞれ粘液層１１及び離型層１２でコーティングされており、その内、基材１０の第一面１０１の横方向の一部の領域には粘液層１１がコーティングされており、第一面１０１の横方向において、基材１０の少なくとも片側の側辺から向かい合う方向のもう一つの側辺に、狭い幅で且つ基材１０の縦に沿って連続して延伸した粘液層１１がコーティングされていない引き剥がしエリア１０Ａが連続して設けられ、これによって、テープ１がパッケージの蓋の閉じ口に貼り付けられた後、簡単に引き剥がしエリア１０Ａからテープ１をスムーズに剥がすことができる。【選択図】図３
0003212652.tif 000002
【実用新案登録請求の範囲】
【請求項１】
パッケージの蓋を封印するテープを素早くスムーズに剥がすことができる装置であって、
前記装置は、一つの細長い帯状の基材を備え、前記基材は、相対して位置する一つの第一面及び一つの第二面を備え、前記第一面は前記基材の縦方向に沿って連続して粘液層でコーティングされており、前記第二面は縦方向に沿って連続して離型層でコーティングされており、
前記基材の前記第一面の横方向の一部の領域には、前記粘液層がコーティングされ、それにより、前記第一面の前記横方向において、前記基材の少なくとも片側の側辺から向かい合う方向のもう一つの側辺に、狭い幅で且つ前記基材の縦に沿って連続して延伸した前記粘液層がコーティングされていない引き剥がしエリアが連続して設けられることを特徴とする、パッケージの蓋を封印するテープを素早くスムーズに剥がすことができる装置。
【請求項２】
前記第一面の前記横方向において、前記基材の向かい合う両側辺からそれぞれ向かい合う方向のもう一つの側辺には、狭い幅で且つ前記粘液層がコーティングされていない引き剥がしエリアが連続して設けられることを特徴とする、請求項１に記載のパッケージの蓋を封印するテープを素早くスムーズに剥がすことができる装置。
【請求項３】
前記引き剥がしエリアの狭い幅は、粘液層の幅よりも狭いことを特徴とする、請求項１または２に記載のパッケージの蓋を封印するテープを素早くスムーズに剥がすことができる装置。
【請求項４】
引き剥がしエリアの位置に対応した前記基材の第二面には、複数の指示標識が設けられることを特徴とする、請求項３に記載のパッケージの蓋を封印するテープを素早くスムーズに剥がすことができる装置。
【請求項５】
前記指示標識は、前記引き剥がしエリアの位置を表す図案、符号または色であることを特徴とする、請求項４に記載のパッケージの蓋を封印するテープを素早くスムーズに剥がすことができる装置。
【請求項６】
前記引き剥がしエリアの縦方向の側辺を非直線形状にすることを特徴とする、請求項３に記載のパッケージの蓋を封印するテープを素早くスムーズに剥がすことができる装置。
【請求項７】
前記非直線形状は波形にすることを特徴とする、請求項６に記載のパッケージの蓋を封印するテープを素早くスムーズに剥がすことができる装置。
【考案の詳細な説明】
【技術分野】
【０００１】
本考案は、物品に貼り付けるのに用いられるテープに関し、特に貼り付いている物品からテープを簡単かつスムーズに剥がすことができる構造に関する。
【背景技術】
【０００２】
一般的にパッケージまたは袋を閉じる時は、テープを用いてパッケージの二つの箱の蓋の間のつなぎ目、箱の蓋と箱本体の間のつなぎ目、または包装袋と折口の間のつなぎ目を貼り付ける。しかしながら、一般的なテープは、テープ材の片面がすべて粘液層でコーティングされており、それゆえ、テープをパッケージ、袋に貼り付けた後、粘液層がしっかりと箱本体、箱の蓋、または包装袋の表面に貼り付き、パッケージの蓋を開ける時、テープの側辺がしっかりとパッケージ、袋表面に貼り付いているため、剥がしにくい。消費者は通常刃物を使って閉じ口のテープを切り開くか、または力を込めてテープを引き剥がすため、パッケージの蓋の表面に損傷が生じるなどの状況がよく発生しやすく、且つ刃物を使って閉じ口を切り開いた後、テープが剥がしにくいため、プラスチック製のテープが箱の蓋の表面に残ることが多く、紙製パッケージの回収再利用に不都合である。
【考案の概要】
【考案が解決しようとする課題】
【０００３】
本考案は、従来のテープの上記のような欠点を改良し、更に封印しやすく、更に引きはがしやすく且つ裂けることがなく、また更に紙製パッケージ、袋の回収再利用に便利なテープを提供することを目的とする。
【課題を解決するための手段】
【０００４】
本考案は、以下の特徴を備える。テープ材の第一面及び第二面は、粘液層及び離型層でそれぞれコーティングされており、その内、基材の第一面の横方向に前記粘液層がコーティングされた一部の領域に、前記第一面の横方向に基材の少なくとも片側の側辺から向かい合う方向のもう一つの側辺に、狭い幅で且つ基材の縦に沿って連続して伸びた前記粘液層がコーティングされていない一つの引き剥がしエリアが設けられ、これにより、テープがパッケージの蓋の閉じ口に貼り付けられた後、前記引き剥がしエリアから簡単かつスムーズにテープを剥がすことができる。
【０００５】
これに基づき、本考案は、パッケージの蓋を封印するテープを素早くスムーズに剥がすことができる装置を提供する。その技術手段は一つの細長い帯状の基材を備え、前記基材は、相対して位置する一つの第一面及び一つの第二面を備え、前記第一面は基材の縦方向に沿って連続して粘液層でコーティングされており、前記第二面は縦方向に沿って連続して離型層でコーティングされている。その内、基材の第一面の横方向の一部の領域には粘液層がコーティングされ、前記第一面の横方向において、基材の少なくとも片側の側辺から向かい合う方向のもう一つの側辺まで、幅が狭く且つ基材の縦に沿って連続して延伸した前記粘液層がコーティングされていない一つの引き剥がしエリアを連続して設ける。
【０００６】
もう一つの実施例において、本考案は基材の第一面の横方向において、前記基材の向かい合う両側辺からそれぞれ向かい合う方向のもう一つの側辺まで、一つの狭い幅のコーティングされていない前記粘液層の引き剥がしエリアを連続して設ける。
【０００７】
粘液層でコーティングされていない引き剥がしエリアの幅の狭さは、粘液層の幅よりも狭いのが好ましい。
【０００８】
実施例の一つにおいて、引き剥がしエリア位置に対応した基材の第二面に複数の指示標識を設けることができる。
【０００９】
前記指示標識は前記引き剥がしエリアの位置を表す図案、符号、または色であることが好ましい。
【００１０】
使用者が更に引き剥がしエリアの位置及び装飾テープを認識しやすいようにするための配慮として、本考案は、引き剥がしエリアの縦方向の側辺を非直線形状にすることができる。
【００１１】
本考案において、引き剥がしエリアの縦方向の側辺に設けられた非直線形状は波形にするのが好ましい。
【考案の効果】
【００１２】
前記の本考案のテープ装置によって、本考案のテープがパッケージ、袋に貼り付いている時、のりがコーティングされていない前記引き剥がしエリアはパッケージ、袋の表面に貼り付くことがないために、パッケージ、袋を開封する時、素早く且つ簡単に引き剥がしエリアをめくって、テープをスムーズに剥がすことができる。
【図面の簡単な説明】
【００１３】
【図１】本考案においてテープ基材の第一面に部分的にコーティングした粘液層の実施例を示した立体概略図である。
【図２】本考案においてテープ基材の第二面に全体をコーティングした離型層の実施例を示した立体概略図である。
【図３】図１の3−3方向に沿って本考案のテープ構造を示した平面断面拡大図である。
【図４】本考案においてテープ基材の第一面の両側辺にそれぞれ引き剥がしエリアを設け、且つ引き剥がしエリアに指示標識を設けた状態を示した立体概略図である。
【図５】本考案において在テープ基材の引き剥がしエリアの両側辺に波形を設けた状態を示した立体概略図である。
【図６】本考案において片側の側辺に引き剥がしエリアを設けたテープをロール状に巻いた状態を示した立体概略図である。
【図７】本考案において両側辺に引き剥がしエリアを設けたテープをロール状に巻いた状態を示した立体概略図である。
【図８】本考案においてテープをパッケージに貼り付けた後の状態を示した立体概略図である。
【図９】図８のパッケージに貼り付けられたテープを剥がす状態を示した概略図である。
【考案を実施するための形態】
【００１４】
図１から図３を参照する。図１から図３は、本考案が提供するパッケージの蓋を封印するテープを素早くスムーズに剥がすことができる装置である。その好ましい実施例は以下のものである。テープ１は、一つの長い帯状の基材１０からなり、前記基材１０は、接着フィルム材、高機能繊維紙、アルミニウム質材料、…などのすべての適した材料を用いて、連続して延伸した長方形のフィルムを製造する。前記長方形のフィルムの基材１０は、向かい合って位置する一つの第一面１０１と、一つの第二面１０２と、第一面１０１に沿って基材１０の縦方向に連続してコーティングする粘液層１１と、第二面１０２に沿って基材１０の縦方向に連続してコーティングする離型層１２と、からなる。
【００１５】
その内、前記離型層１２は工場内で自動化生産を行う時にコーティングしておく。その目的は、テープ１を巻き取った後、粘液層１１が離型層１２に貼り付くようにし、それにより粘液層１１を離型層１２から剥がしやすくするためである。
【００１６】
同様に図１から図３が示すように、本考案の好ましい実施例では、基材１０の第一面１０１の横方向の一部の領域に、粘液層１１をコーティングし、第一面１０１の前記横方向において、基材１０片側の側辺から向かい合う方向のもう一つの側辺には、狭い幅ｗであり且つ基材１０の長さに沿って連続して延伸した粘液層でコーティングされていない引き剥がしエリア１０Ａが連続して設けられる。更に詳しく説明すると、引き剥がしエリア１０Ａは、基材１０の第一面１０１の粘液層でコーティングされていない一部の領域であり、前記一部の領域は基材１０の縦方向の片側の側辺に隣接しつつ縦方向に沿って連続して延伸し、また、引き剥がしエリア１０Ａの狭い幅ｗは粘液層１１の幅Ｗより狭い。
【００１７】
また、本考案のもう一つの実施例では、基材１０の第一面１０１の横方向において、基材１０の向かい合う両側辺からそれぞれ相対する方向のもう一つの側辺に、前記粘液層がコーティングされていない狭い幅ｗの引き剥がしエリア１０Ａが連続して形成される（図４を参照する）。
【００１８】
また、使用者が貼り付いたテープを剥がす時に、引き剥がしエリア１０Ａの位置を分かりやすくするため、本考案は、さらに前記引き剥がしエリア１０Ａの位置に対応する基材１０の第二面１０２に複数の指示標識１３を設ける（図４を参照する）。前記指示標識１３は、前記引き剥がしエリア１０Ａの位置を表す図案、符号、または色にすることができ、例えば、図４が示す指示標識１３は、矢印の図案であり、その矢印の方向は引き剥がしエリア１０Ａから粘液層１１の方を指し示し、使用者が直観的に引き剥がしエリア１０Ａをめくって剥がす方向が分かるようにする。
【００１９】
もう一つの実施例において、本考案は、引き剥がしエリア１０Ａの縦方向の側辺を非直線状（例えば図５が示す波形）に形成することもできる。引き剥がしエリア１０Ａの側辺を特殊な非直線形に形成することによって、前記の指示標識１３にとって換えることができ、同様に使用者に引き剥がしエリア１０Ａ剥がす指示を行う機能及び目的を達成することができる。
【００２０】
図６と図７を参照する。図６と図７は、それぞれ本考案におけるテープの片方の側辺と両側辺に設けられた引き剥がしエリアのテープをロール状に巻いた状態を示す立体概略図である。前記巻かれたテープはテープ貼り器に取り付けるのに適しており（図示せず）パッケージ２または包装袋にパッケージングを行う。
【００２１】
図８を参照する。本考案を用いたテープ１をパッケージ２に貼り付ける方式は一般的なテープと同様であり、いずれも、テープ１をパッケージ２の箱の二つの蓋の間のつなぎ目、または箱の蓋と箱本体のつなぎ目（図示せず）、または包装袋の袋本体と折口のつなぎ目に貼り付け、（図示せず）、それによってパッケージ、袋を封印し固定させる。
【００２２】
図９を参照する。消費者がパッケージを開ける時、引き剥がしエリア１０Ａの位置を見つけるだけで、貼り付けられていない引き剥がしエリア１０Ａをめくることができ、それからテープ１の縦方向に沿って直接テープ１をめくるとパッケージ２から完全にスムーズに剥がすことができる。特に引き剥がしエリア１０Ａに指示標識１３が設けられ、または側辺に特殊な非直線形が設けられている時、消費者はさらに素早く引き剥がしエリア１０Ａを見つけて剥がすことができ、その操作全体は非常に簡単であり、素早く、且つパッケージ、袋を損壊することがなく、更にテープ１がパッケージ、袋に残らないため、使用済みの紙質パッケージ、袋の回収再利用にとっても助けとなる。
【符号の説明】
【００２３】
１      テープ
１０    基材
１０１  第一面
１０２  第二面
１１    粘液層
１２    離型層
１０Ａ  引き剥がしエリア
１３    指示標識
【図１】
0003212652.tif 000003
【図２】
0003212652.tif 000004
【図３】
0003212652.tif 000005
【図４】
0003212652.tif 000006
【図５】
0003212652.tif 000007
【図６】
0003212652.tif 000008
【図７】
0003212652.tif 000009
【図８】
0003212652.tif 000010
【図９】
0003212652.tif 000011